(57)【要約】【課題】大豆脂肪酸およびレシチンを用いた活性水溶性天然洗剤組成物及びその製造方法を提供する。【解決手段】天然植物性脂肪酸，レシチン，アルカノールアミド，および高級アルコールや多価アルコールなどの有機溶媒から成る混合物を撹拌した後，その混合物に対して鹸化工法を適用してブラウン運動を行うことが可能な大きさの微細な洗剤分子を形成し，結果物の洗剤を水分とＰＨの調節によって中性状態又はアルカリ性状態にする。洗剤組成物は，大豆脂肪酸１４〜２２重量部，レシチン２〜４重量部，アルカノールアミド６〜１４重量部，イソオクチルフェノキシポリオキシエトキシエタノール１５重量部，蒸留水４２重量部，ｐ−ｔｅｒｔ−オキシフェノキシポリエトキシエタノール１０重量部及びエチレンジアミン四酢酸３重量部を含む。【特許請求の範囲】
【請求項１】
大豆脂肪酸１４〜２２重量部，レシチン２〜４重量部，アルカノールアミド６〜１４重量部，イソオクチルフェノキシポリオキシエトキシエタノール１５重量部，蒸留水４２重量部，ｐ−ｔｅｒｔ−オキシフェノキシポリエトキシエタノール１０重量部及びエチレンジアミン四酢酸３重量部を含むことを特徴とする，大豆脂肪酸とレシチンを用いた活性水溶性天然洗剤組成物。
【請求項２】
大豆脂肪酸１４〜２２重量部，レシチン２〜４重量部，アルカノールアミド６〜１４重量部，イソオクチルフェノキシポリオキシエトキシエタノール１５重量部，蒸留水４２重量部，ｐ−ｔｅｒｔ−オキシフェノキシポリエトキシエタノール１０重量部及びエチレンジアミン四酢酸３重量部を含む混合物を充分撹拌する段階と；
前記混合物を鹸化してブラウン運動を行うことが可能な大きさの微細な洗剤分子を形成する段階と；
を含むことを特徴とする，大豆脂肪酸とレシチンを用いた活性水溶性天然洗剤組成物の製造方法。
【発明の詳細な説明】
【技術分野】
【０００１】
本発明は，純植物性大豆脂肪酸とレシチン(Lecithin)を用いた活性水溶性天然洗剤組成物及びその製造方法に関する。
【背景技術】
【０００２】
一般に，大部分の合成洗剤は，プロピレン四量体のポリプロピルベンゼンスルホン酸型の硬性の化合物によるものであって，環境汚染だけでなく人体にも弊害を誘発しているため，その使用が規制されている実情である。
【０００３】
そのため，直鎖ベンゼンスルホン酸型の軟性の合成洗剤が代案として提示されたが，軟性合成洗剤は，優れた水中分解性をもつものの，水に汚染物質を排出するという欠点がある。また，硫酸塩やスルホン酸塩などの洗剤は，サブミクロンの炭酸カルシウム，ニトリロ三酢酸，ヘキサメチレンジアミン四酢酸，およびジエチレントリアミン五酢酸を水に排出する添加剤を要するという欠点がある。これにより，これらに代わる親環境的性質の天然洗剤が切実に要求されている。
【０００４】
特に，既存の合成洗剤は，通常，主に炭化水素系の脂肪分子からなる油親和性の分子構造と主に硫酸塩からなる水親和性の分子構造の両親和性の分子構造をもっている。このような分子構造の特性のために，既存の合成洗剤の分子の質量は大きかった。そのため，既存の合成洗剤又はそのミセルは水中でブラウン運動によって活発に動くことができない。すなわち，既存の合成洗剤の分子又はそのミセルは，外部の物理的な力を受けることなく自ら活発に動くことができなかった。
【０００５】
一般に，既存の合成洗剤を用いた洗浄の工程は，合成洗剤の油親和性分子が汚れに付着または浸透した後汚れと共に洗浄対象物から離れる方式に基づいて行われる。
【０００６】
したがって，洗浄対象物に付着している汚れに合成洗剤の分子を浸透させるためには，水の汚染の主要因である泡を十分に立て，また，例えば掻き回す，擦る，叩くなどの外部の物理的な力によって洗剤の分子と汚れとを接触させる必要がある。また，汚れに浸透した洗剤分子を汚れと共に洗浄対象物から離し，洗浄対象物から離された洗剤の分子と汚れとを水中に分散，拡散させるためには，再び掻き回し，擦り，叩きなど外部の物理的な力を加えなければならない。
【０００７】
すなわち，既存の合成洗剤は，洗濯機又は人によって提供される掻き回し，擦り，叩きなどの物理的な力がなければ満足のいく洗浄力が発生しない。これにより，既存の合成洗剤によって発生する泡，及び合成洗剤に用いられる各種の化合物は，環境及び人体に悪影響を及ぼすという問題点があった。
【発明の開示】
【発明が解決しようとする課題】
【０００８】
本発明は，かかる問題点を解決するためのもので，その目的は，皮膚を始めとして各種の有機物質および無機物質の表面に付着した汚れを容易に除去し，浸透，保湿，乳化，分散，洗浄，分解などの複合的な機能を含む洗剤及びその製造方法を提供することにある。
【課題を解決するための手段】
【０００９】
本発明によれば，天然大豆脂肪酸や米糠脂肪酸などの天然植物性脂肪酸，レシチン及びアルカノールアミドに高級アルコールや多価アルコールなどの有機溶媒を混合して高速で撹拌した後，これに更に所定の活性成分及びその他の添加剤を添加して鹸化工法を適用し，ブラウン運動を行うことが可能な大きさの微細な洗剤分子を形成することによって製造される活性水溶性天然洗剤組成物が提供されることによって上記目的は達成される。このとき，結果物である洗剤は中性又はアルカリ性の所望の状態になるようにＰＨが調節される。
【００１０】
一般に，植物性脂肪にレシチンを混合して撹拌すると，植物性脂肪分子は，その構造の一部が破壊されて水溶性の分子構造に変わる。例えば，植物性脂肪と卵の黄身を混合して撹拌すると，植物性脂肪分子は卵の黄身中に入っているレシチンによってその分子構造の一部が破壊されてマヨネーズのような水溶性の成分になる。この際，植物性脂肪の代りに植物性脂肪酸を用いる場合にも，前記と同様に分子構造の破壊が容易になる。
【００１１】
本発明は，かかる現象を用いて創案されたもので，本発明による洗剤分子は，炭化水素系の油親和性分子構造を持っており，その分子又はその分子のミセルは，外部の物理的な力がなくても活発なブラウン運動を行うことにより，水中で急速に拡散し，不規則で自由な運動を行う。したがって，本洗剤組成物は，物理的な力がなくてもブラウン運動に従って自らの運動力によって，洗浄対象物に付着している汚れに直接接触，浸透及び衝突し，その洗剤分子の運動エネルギー又は衝突エネルギーによって汚れを離すか或いは汚れと共に離れることにより洗浄力を発生させる。
【発明の効果】
【００１２】
以上説明したように本発明によれば，一般的な合成洗剤の場合とは異なり，洗剤分子を汚れに接触させるために泡立たせる必要がなく，一般合成洗剤に添加剤として用いる各種の化合物も使用する必要もない，親環境的で人体にも無害な活性水溶性天然洗剤組成物を提供することができる。
【００１３】
また，本発明に係る活性水溶性天然洗剤組成物は，洗剤分子のブラウン運動によって洗浄力が発生するため，洗浄と濯ぎに必要とされる作業を減らすことができる。そのため，本発明に係る活性水溶性天然洗剤組成物を洗濯機，食器洗浄機などに使用した場合，洗浄時間が短縮し，その結果として電気消耗量，水消費量を減らすことができる。
【発明を実施するための最良の形態】
【００１４】
以下，本発明に係る大豆脂肪酸とレシチンを用いた活性水溶性天然洗剤組成物及びその製造方法の構成について説明する。
【００１５】
本発明に係る水溶性天然洗剤組成物は，大豆脂肪酸１４〜２２重量部，レシチン２〜４重量部，アルカノールアミド６〜１４重量部，イソオクチルフェノキシポリオキシエトキシエタノール１５重量部，蒸留水４２重量部，ｐ−ｔｅｒｔ−オキシフェノキシポリエトキシエタノール１０重量部及びエチレンジアミン四酢酸３重量部を含む。
【００１６】
前記大豆脂肪酸が２２重量部を超過して配合されると，本発明に係る水溶性洗剤の粘度が高くなりすぎて汚れに対して洗剤をスプレーし難くなり，配合量が１４重量部未満であると，生物分解性に乏しくなる。同様に，前記アルカノールアミドも１４重量部を超過して配合されると，粘度が高くなりすぎて汚れに対して洗剤をスプレーし難くなり，６重量部未満であると，生物分解性に乏しくなる。
【００１７】
本発明では，天然の植物から抽出した純植物性の高級脂肪酸として大豆脂肪酸を用いることが好ましいが，米糠脂肪酸などその他の植物性脂肪酸をその代替品として使用することができる。
【００１８】
本発明の活性合成洗剤は，下記の好適な実施例によってさらに明確に理解できるであろう。ただし，下記実施例は本発明を限定するものではない。
【００１９】
本発明に係る活性水溶性天然洗剤組成物は，下記の３段階を含む方法によって製造される。第１段階では，大豆脂肪酸１４〜２２重量部，レシチン２〜４重量部，アルカノールアミド６〜１４重量部，イソオクチルフェノキシポリオキシエトキシエタノール１５重量部，ｐ−ｔｅｒｔ−オキシフェノキシポリエトキシエタノール１０重量部，補助添加剤としてエチレンジアミン四酢酸３重量部，および蒸留水４２重量部を含む混合物を高速で撹拌する。第２段階では，上記混合物に対して鹸化工法を適用して，ブラウン運動を行うことが可能な大きさの微細な洗剤分子を形成する。第３段階では，結果物の洗剤に対して水分とＰＨの調節を行うことによって上記結果物の洗剤を中性又はアルカリ状態にする。
【００２０】
結果物の洗剤の分子又はそのミセルは，外部の物理的な力がなくても活発なブラウン運動を行うことにより，水中で急速に拡散し，不規則で自由な運動を行う。そのため，本発明に係る洗剤は，物理的な力がなくてもブラウン運動に従って自らの運動力によって，洗浄対象物に付着している汚れに直接接触，浸透及び衝突し，その洗剤分子の運動エネルギー又は衝突エネルギーによって汚れを離すか或いは汚れと共に離れることにより洗浄力を発生させる。このような合成洗剤組成物は，硬水，軟水，塩水においてもその洗浄力と分解力を保ち，硫酸塩，リン酸塩，硝酸塩，ニトリロ三酢酸などの有害物質を含有しないので，親環境的である。
【００２１】
表１では韓国国家公認試験機関の韓国生活用品試験研究院で本発明による活性水溶性天然洗剤組成物に対する生物分解試験を行った（試験方法ＫＳＭ２７１４−９２）結果を示す。表１に示すように，本発明にかかる天然洗剤組成物の生物分解度は９９％であった。このような値は従来の合成洗剤では得られない数値である。
【００２２】
【表１】
2005508443.tif 000002
【００２３】
以上，本発明の好適な実施例について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【国際公開パンフレット】
2005508443.tif 000003
2005508443.tif 000004
2005508443.tif 000005
2005508443.tif 000006
2005508443.tif 000007
2005508443.tif 000008
2005508443.tif 000009
2005508443.tif 000010
【国際調査報告】
2005508443.tif 000011